(57)【要約】【課題】  大量のサウナストーンを積み込むことができる割りに、全体を比較的小型に、而も、低コストにて造ることができると共に、ヒーターが大量に積み込んだサウナストーンを均一に加熱して、ストーブの周囲にサウナストーンの熱気と、水掛によって発生したロウリュを均一に発散できるように工夫したサウナ風呂用ストーブを提供する。【解決手段】  サウナ風呂用ストーブ１の熱源となるヒーター６の上下背丈を、少なくとも８００ｃｍ以上若しくは１，０００ｃｍ以上の背高に形成して、このヒーター６の周囲を金属製で、且つ、通気構造で背高に造った金属製保護筒体２で囲って、その内部に多数のサウナストーンＳＴ…を積み込む。【選択図】    図４
2009273651.tif 000002
【特許請求の範囲】
【請求項１】
ヒーター部材がサウナストーンを加熱することによって発生する熱気で、サウナ室内の温度をサウナ入浴に適した温度に上昇させることができると共に、上記加熱されたサウナストーンに水を掛けることにより、サウナ入浴に適した蒸気を発生することができるサウナ風呂用ストーブであって、
上端部を逆Ｕ字状に屈曲した二脚形状を成し、且つ、上下の丈を少なくとも８００ｃｍ以上、若しくは、１，０００ｃｍ以上の背高形状に形成した複数本のヒーター部材を、基台上に上向きに並べて立設して、これ等複数本のヒーター部材の周囲全体を、上記基台上に立設した円筒形状又は角筒形状を成し、且つ、通気構造で背高に形成した金属製保護筒体にて囲い込むと共に、この保護筒体の内部には、多量のサウナストーンを充填的に積み込んで構成したことを特徴とするサウナ風呂用ストーブ。
【請求項２】
前記通気構造に造った金属製保護筒体の上下の背丈が、前記背高形状に造ったヒーター部材よりも若干長く、且つ、上端部が開口状態に形成されていることを特徴とする請求項１に記載のサウナ風呂用ストーブ。
【請求項３】
前記通気構造の保護筒体が、金網、エキスパンドメタル、パンチングメタル、或いは、金属柵のいずれかによって構成されていることを特徴とする請求項１又は２に記載のサウナ風呂用ストーブ。
【発明の詳細な説明】
【技術分野】
【０００１】
本発明は、サウナ風呂の熱源と成るサウナ風呂用ストーブの改良に関するものであって、具体的にはサウナストーンをヒーターで加熱することにより発生する熱気と、加熱したサウナストーンに水を掛けることによって発生する蒸気（以下ロウリュという）とによって、サウナ室内をサウナ入浴に適した状態（環境）にすることができるように工夫した、サウナ風呂用ストーブの改良に関するものである。
【背景技術】
【０００２】
サウナ風呂の熱源となるサウナ風呂用ストーブにおいて、ストーブ用ヒータの熱エネルギーがサウナ室内に伝わる３つの媒体／方法として、温熱空気と、放射、ロウリュが存在し、一般的には、従来より使用されているいずれのサウナ風呂用ストーブであっても、空気を加熱して放射する能力はほとんど同じである。
【０００３】
然しながら、伝統的なフィンランドサウナ入浴では、上記ロウリュは大変重要な要素であるため、伝統的フィンランドサウナのストーブ（サウナヒーター）にとって最も重要な特質は、沢山の水を素早く沸騰させて蒸気を発生させ、沢山のロウリュを発生させることであって、このロウリュを発生させる能力の如何が、サウナ風呂用ストーブのよしあしを決めるポイントに成っている。
【０００４】
技術的なプロセスとして、ロウリュを発生させることは、熱い空気又は放射熱を発生させることとは劇的に異なっており、違いはその過程（プロセス）の時間とスピードに関連している。加熱空気の放射は継続的なプロセスであるが、ロウリュの発生は頗る急速な過程であって、数秒と掛かることはない。
【０００５】
この様に頗る急速にロウリュを発生させるためには、以下の５つの優秀な特徴を有する必要がある。即ち、１．多量のサウナストーン。２．サウナストーンの効果的な加熱。３．ヒーターの温度ゾーンの違い。４．サウナストーンに対して容易に水を掛けることができる。５．ヒーターからのロウリュの安全な排出。
【０００６】
これに対して、サウナ風呂の熱源と成る従来のサウナ風呂用ストーブは、例えば特許文献１に見られるように、ヒーターの上にサウナストーンを直接積載して加熱するタイプのものと、例えば特許文献２に見られるように、ヒーターを備えたケース体の内部にサウナストーンを積み込んで、加熱するタイプのものとが存在している。
【特許文献１】実開昭５０−７９６４７号公報
【特許文献２】実開昭５８−１４７５２４号公報
【発明の開示】
【発明が解決しようとする課題】
【０００７】
ところが、上記いずれのタイプのサウナ風呂用ストーブの場合も、ヒーターによって加熱されるサウナストーンの量に制限があるため、サウナ入浴に適した充分な熱量とロウリュを容易に発生できない問題があった。
【０００８】
即ち、サウナストーンをヒーターの上に山積みする前記特許文献１に記載のサウナ風呂用ストーブの場合、山積みの量を多くすると、上層のサウナストーンにヒーターの熱が効果的に伝わらなくなる場合がある。また、加熱された下層のサウナストーンからの熱放射を、上層のサウナストーンが邪魔をして充分に発散できなくなったり、水をサウナストーンに対して効果的に掛けることができなかったり、更には、積み重ねたサウナストーンの重量によってヒーターが破損する場合もあって、積み込むサウナストーンの量が制限されて、サウナ室内の温度を入浴に適した温度に確実に加温できなかったり、ロウリュを安全に、且つ、効果的に放出できなかったり、或いは、適温まで加温するのに可成りの時間を要してしまって、ヒータスイッチをオンしてからしばらくしないと伝統的なフィンランドサウナ入浴が楽しめないという不都合が生じる問題があった。
【０００９】
また、ケース体（枠体）の内部にサウナストーンを積み込んでヒーターで加熱する、前記特許文献２に記載のサウナ風呂用ストーブの場合は、積み込むサウナストーンの量を増やして熱量を増やすには、その分、ケース体を大型に造る必要があるため、これがコストアップに繋がる問題があると共に、ストーブが大型化すると、それだけサウナ風呂内の入浴可能面積（床面積）が狭くなって、入浴人数が制限されたり、火傷の危険性が高くなるといった問題があった。
【００１０】
更に、特許文献２に記載のサウナ風呂用ストーブの場合、ケース体の中に積み込んだサウナストーンをヒーターが加熱するため、サウナストーンから発散する熱は開口されているケース体の上方にのみ集中されて、ロウリュを周囲（四方）全体に均等に、而も、安全に発散することができず、サウナ室内にサウナ入浴に適したロウリュを効果的に放出することができない問題もあった。
【００１１】
従って、本発明の技術的課題は、大量のサウナストーンを積み込んで高い熱量を得ることができる割りに、全体を比較的小型に、而も、低コストにて造ることができると共に、ヒーターが大量に積み込んだサウナストーンを均一に加熱して、これに水を掛けることによりストーブの周囲にサウナストーンの熱気とロウリュを均一に、且つ、効果的に発散できるように工夫したサウナ風呂用ストーブを提供することである。
【課題を解決するための手段】
【００１２】
（１）  上記の技術的課題を解決するために、本発明の請求項１に係るサウナ風呂用ストーブは、ヒーター部材がサウナストーンを加熱することによって発生する熱気で、サウナ室内の温度をサウナ入浴に適した温度に上昇させることができると共に、上記加熱されたサウナストーンに水を掛けることにより、サウナ入浴に適した蒸気（ロウリュ）を発生することができるサウナ風呂用ストーブであって、
上端部を逆Ｕ字状に屈曲した二脚形状を成し、且つ、上下の丈を少なくとも８００ｃｍ以上、若しくは、１，０００ｃｍ以上の背高形状に形成した複数本のヒーター部材を、基台上に上向きに並べて立設して、これ等複数本のヒーター部材の周囲全体を、上記基台上に立設した円筒形状又は角筒形状を成し、且つ、通気構造で背高に形成した金属製保護筒体にて囲い込むと共に、この保護筒体の内部には、多量のサウナストーンを充填的に積み込んで構成したことを特徴としている。
【００１３】
（２）  また、本発明の請求項２に係るサウナ風呂用ストーブは、前記通気構造に造った金属製保護筒体の上下の背丈が、前記背高形状に造ったヒーター部材よりも若干長く、且つ、上端部が開口状態に形成されていることを特徴としている。
【００１４】
（３）  更に、本発明の請求項３に係るサウナ風呂用ストーブは、前記通気構造の保護筒体が、金網、エキスパンドメタル、パンチングメタル、或いは、金属柵のいずれかによって構成されていることを特徴としている。
【００１５】
上記（１）で述べた請求項１に係る手段によれば、通気構造で背高に構成した保護筒体内に立設した複数本のヒーター部材が、同じく保護筒体内に充填的に積み込んだ多数のサウナストーンを均一に加熱し、加熱によってサウナストーンから発散される乾燥した熱気を、保護筒体の周囲に発散してサウナ室内の温度をサウナ入浴に適した温度に加熱できると共に、この加熱されたサウナストーンに水を掛けることにより、サウナ入浴に適したロウリュをサウナ室内に効果的に放出することができる。また、サウナストーンを収容した金属製の保護筒体が通気構造に造られているため、ヒーターによって加熱されたサウナストーンの熱とロウリュを周囲に均等に発散して、サウナ室内を効率良くサウナ入浴に適した温度に加熱及び加湿することができる。
【００１６】
更に上記（１）で述べた請求項１に係る手段によれば、ヒーター部材の上下の丈が少なくとも８００ｃｍ以上若しくは１，０００ｃｍ以上（標準サイズで１，０００ｃｍ〜１，５００ｃｍ程度）と、従来のヒーター（一般的には２０〜３０ｃｍ程度）よりも可成り長尺に形成されているため、加熱空気がサウナストーンの間を長い時間通過することになり、大量のサウナストーンを均一に加熱して、優れた加熱効果及びロウリュ放出効果を発揮することを可能にする。
【００１７】
また、上記（２）で述べた請求項２に係る手段によれば、上記保護筒体の上下の背丈（長さ）を、前記長尺に形成したヒーター部材よりも若干長目に形成し、而も、その上端部を開口状態に構成しているため、大量のサウナストーンを容易に保護筒体内に積み込むことができると共に、各ヒーター部材の逆Ｕ字状に屈曲した上端部を覆うように、保護筒体の上端口にサウナストーンを山積み状態に積み上げて、サウナ風呂用ストーブとしての雰囲気をつくり出すことも可能にする。更に、上記背丈が長い保護筒体内に積み込まれたサウナストーンのうち、高い位置のサウナストーンは高温に加熱され、低い位置のサウナストーンは比較的低い温度に加熱されるため、これ等各サウナストーンに水を掛けることにより、高温のロウリュと比較的温度の低いソフトなロウリュを発生できるものであって、ヒーターの温度ゾーンの違いによって温度が異なるロウリュを選択することができる。
【００１８】
更に、上記（３）で述べた請求項３に係る手段によれば、通気構造の保護筒体として、大量に積み込んだサウナストーンを保持する安全性を発揮できると共に、サウナストーンの熱気を及びロウリュを外部に向けて通気可能とした金網、エキスパンドメタル、パンチングメタル、或いは、金属柵のいずれかを、円筒状、又は、角筒状に形成して使用することにより、サウナ風呂の雰囲気に合ったストーブを提供したり、従来のサウナ風呂には無い新たな雰囲気を造り出すことを可能にする。
【発明の効果】
【００１９】
以上述べた次第で、本発明に係るサウナ風呂用ストーブによれば、背高に形成した金属製保護筒体内に充填的に積み込んだ大量のサウナストーンを、同じく保護筒体内に立設した背高形状のヒーターが効率良く加熱し、而も、この加熱されたサウナストーンの熱気と、水を掛けることにより発生するロウリュを通気構造の保護筒体を通して周囲に均等に発散させて、サウナ室内を比較的短時間のうちに効率良くサウナ入浴に適した温度と湿度に加熱できる利点を発揮できるものであって、保護筒体として比較的安価に入手可能な金網やエキスパンドメタル、パンチングメタル、或いは、金属柵を用いて、低コストにて製造できる点、並びに、既設のサウナ室内にも簡単に設置して利用できる点。ヒーターの温度ゾーンによって異なる温度のロウリュを発生できる点と相俟って、サウナ風呂用のストーブとしてまことに画期的で、且つ、有益なものである。
【発明を実施するための最良の形態】
【００２０】
以下に、上述した本発明に係るサウナ風呂用ストーブの実施の形態を図面と共に詳細に説明すると、図１は本発明に係るサウナ風呂用ストーブ１を設置したサウナ室ＳＲの内部構成の一例を示し、図２は上記サウナ風呂用ストーブ１を分解して示した正面図、図３は本発明の平面図、図４は本発明の正面図、図５は本発明の使用時の状態を示した斜視図であって、これ等の図面において、符号２で示したのは本発明のサウナ風呂用ストーブ１を構成する金属で背高に造った通気構造の保護筒体であって、図示の場合は金網を用いて円筒状に造ったものが使用されているが、これは実施の一例である。
【００２１】
保護筒体２としては、金網の他に例えばエキスパンドメタル、パンチングメタル、或いは、金属の細い棒を組んで構成した金属柵が使用され、それも図示した円筒状の他に例えば四角や六角等の角筒状に造ったものが使用されるが、その選択は任意とする。
【００２２】
更に図中、３は基台で、６…はこの基台３の上面板４上に並べて立設した防水構造のヒーターで、これ等のヒーター６は夫々太径の金属線を用いて上端部を逆Ｕ字上に屈曲した二脚構造に造られていて、図示した実施例では基台３の上面板４上に計１２本のヒーター６…が図３並びに図４に示した配列で立設されている。
【００２３】
以上の如く構成した計１２本のヒーター６…は、いずれもその上下の背丈が少なくとも８００ｃｍ若しくは１，０００ｃｍ以上の背高形状に造られているが、具体的には、ヒーター６のラインナップは、例えば、１５ＫＷ（ψ５６０×Ｄ×Ｈ１２８０）、２０ＫＷ（ψ５６０×Ｄ×Ｈ１２８０）、２０ＫＷ（ψ５６０×Ｄ×Ｈ１５３０）である。しかし、これ等ヒーター６のサイズや配列、本数等はいずれも実施の一例であって、本発明の技術内容がこれ等のサイズ等に限定されることは勿論ない。
【００２４】
前述した保護筒体２は、図２乃至図４に示すように上述の如く立設されたヒーター６…の周囲を囲むように、上記上面板４上に下端口２Ｂの部分を固定して立設されるが、この保護筒体２の上下の背丈は、図４に示すように上記ヒーター６の背丈の長さよりも若干長目に造られており、従って、上面板４上に取付けた保護筒体２の上端口２Ａは、図４に示すように前記逆Ｕ字上に屈曲したヒーター６…の各上端部よりも若干上位に位置する仕組みに成っている。
【００２５】
更に図中、５は上記上面板４と平行に成るように、上記基台３に取付けた固定板、３Ｔは基台３の胴部、３Ａ…は基台３に設けた脚体で、サウナ風呂用ストーブ１の全体は、これ等の脚体３Ａ…によって床面上に水平に支持される。また、上記胴部３Ｔの内部には、各ヒーター６の接続端子やリード線といった電気部品類が、水掛けによって故障や漏電を起こさないように、防水対策を施して収納されているが、図面では省略されている。
【００２６】
また、図３において４Ｗ…は、上記上面板４に設けた掛け水の排水穴、図１及び図５においてＳＴ…は、上記上面板４上に立設した保護筒体２の内部に山積み状態に積み込まれたサウナストーン（例えばフィンランド産の香花石等が使用される）で、これ等のサウナストーンＳＴ…は上述したヒーター６によって加熱されて、サウナストーブで最も重要なロウリュを沢山発生させることができる。
【００２７】
図１と図６において夫々符号１０で全体的に示したのは、上述したサウナ風呂用ストーブ１（以下単にストーブ１と略称する）をサウナ室ＳＲ内の床面上に固定して、安全に使用するための転倒防止用固定具の一実施例を示したものであって、以下にその具体的な構成例を上記の図１と図６の分解図、並びに、この固定具１０による固定の状態を説明した図７の拡大平面図と、図７のＺ−Ｚ線に沿った断面図である図８の記載に基づいて説明する。
【００２８】
これ等の図面に示す如く、転倒防止用の固定具１０は２つ割構造の下部フランジ本体１１，１１と、同じく２つ割構造の上部フランジ板１２，１２と、計４枚の固定プレート１３…とによって構成されている。更に詳しくは、下部フランジ本体１１，１１は断面略半円状に形成した２つの筒体部の上に、２つ割に造った下部フランジ板１１Ａ，１１Ａを連設し、且つ、接合部の夫々には、左右の合わせフランジ１１Ｃ，１１Ｃを夫々連設している。
【００２９】
上述した固定具１０を用いてストーブ１を固定するには、先ず２つ割構造の下部フランジ本体１１，１１の筒体部を、上記ストーブ１の基台３の外周面に装着すると共に、左右の合わせフランジ１１Ｃ，１１Ｃを夫々合わせ、且つ、合わせたフランジ１１Ｃ，１１Ｃに設けた穴１１Ｋ…に夫々締付けボルト１１Ｘ（図７参照）を挿通して締め付けることによって、下部フランジ体１１，１１を基台３の周囲に固定する。
【００３０】
次いで、上部フランジ板１２，１２をストーブ１の前記固定板５の外周面上に載置し、且つ、上記下部フランジ板１１Ａ，１１Ａの各取付穴１１Ｈ…と、上部フランジ板１２，１２の各取付穴１２Ｈ…を位置合わせして、これ等各穴に締付ボルト１２Ｘ（図８参照）を挿入して締め付ければ、上下のフランジ板１２，１２と１１Ａ，１１Ａが固定板５の外周縁を上下から挟持して、下部フランジ本体１１，１１をストーブ１の基台３の周面に固定する。
【００３１】
その後、図６の如く各固定プレート１３…の垂直な固定片１３Ｂに形成されている穴１３Ｈから、夫々図８の如く止めネジ１３Ｘをネジ込むことにより、各固定プレート１３…を基台３Ｔの外周部及び前述した脚体３Ａ…側に固定し、更に、各固定プレート１３…の底板１３Ａに設けた穴１３Ｈを通して床面に向けて固定ネジ１４Ｘをネジ込むことにより、ストーブ１を図１に示すようにサウナ室ＳＲ内の床面上に固定して、転倒を防止する。
【００３２】
尚、図１においてＢＮは入浴者が座るベンチ、ＧＤはベンチＢＮとストーブ１の間を仕切る安全柵であって、図示したサウナ室ＳＲの構造は実施の一例であることは勿論である。また、上述した保護筒体２を金属以外の耐熱性材料で造ることも可能である。
【図面の簡単な説明】
【００３３】
【図１】本発明に係るサウナ風呂用ストーブの設置例を示した説明図。
【図２】本発明に係るサウナ風呂用ストーブの実施例を示した分解図。
【図３】本発明に係るサウナ風呂用ストーブの実施例を示した平面図。
【図４】本発明に係るサウナ風呂用ストーブの実施例を示した平面図。
【図５】本発明に係るサウナ風呂用ストーブの使用状態を説明した斜視図。
【図６】本発明で使用する固定具の実施例を示した分解斜視図。
【図７】図６に示した固定具によって固定された本発明に係るサウナ風呂用ストーブの拡大平面図。
【図８】図７のＺ−Ｚ線に沿った断面図。
【符号の説明】
【００３４】
ＳＲ            サウナ室
１              サウナ風呂用ストーブ
２              保護筒体
３              基台
６              ヒーター
１０            固定具
ＳＴ            サウナストーン
【図１】
2009273651.tif 000003
【図２】
2009273651.tif 000004
【図３】
2009273651.tif 000005
【図４】
2009273651.tif 000006
【図５】
2009273651.tif 000007
【図６】
2009273651.tif 000008
【図７】
2009273651.tif 000009
【図８】
2009273651.tif 000010